(57)【要約】【課題】様々なカスケード接続に対してフレキシブルに対応する。【解決手段】自装置を識別するためのローカル識別番号と、自装置を認証するためのローカル暗証番号と、他装置に接続されたとき他装置が自装置を識別するためのリモート識別番号と、他装置に接続されたとき他装置が自装置を認証するためのリモート暗証番号と、を有する画像投影装置であって、自装置に続けて他装置が接続されると、他装置は、自装置から受信するローカル識別番号をリモート識別番号として登録し、自装置から受信するローカル暗証番号をリモート暗証番号として登録し、他装置に続けて自装置が接続されると、自装置は、他装置から受信するローカル識別番号をリモート識別番号として登録し、他装置から受信するローカル暗証番号をリモート暗証番号として登録する。【選択図】図３
2016004254.tif 000002
【特許請求の範囲】
【請求項１】
自装置を識別するためのローカル識別番号と、
自装置を認証するためのローカル暗証番号と、
他装置に接続されたとき前記他装置が前記自装置を識別するためのリモート識別番号と、
前記他装置に接続されたとき前記他装置が前記自装置を認証するためのリモート暗証番号と、を有する画像投影装置であって、
前記自装置に続けて前記他装置が接続されると、前記他装置は、前記自装置から受信するローカル識別番号を前記リモート識別番号として登録し、前記自装置から受信するローカル暗証番号を前記リモート暗証番号として登録し、
前記他装置に続けて前記自装置が接続されると、前記自装置は、前記他装置から受信するローカル識別番号を前記リモート識別番号として登録し、前記他装置から受信するローカル暗証番号を前記リモート暗証番号として登録することを特徴とする画像投影装置。
【請求項２】
前記ローカル暗証番号が登録されているか否かを判断する手段を含み、前記ローカル暗証番号が登録されていないと判断すると、前記自装置又は前記他装置から受信する前記ローカル暗証番号を登録することを特徴とする請求項１に記載の画像投影装置。
【請求項３】
前記自装置又は前記他装置から受信するローカル暗証番号が認証済であるか否かを判断する手段を含み、前記認証済でないと判断すると、認証を促す表示を行うこととを特徴とする請求項１又は２に記載の画像投影装置。
【請求項４】
前記リモート識別番号と前記リモート暗証番号とを複数登録可能な保存手段を有しており、前記他装置は、前記自装置から受信するローカル識別番号とローカル暗証番号とを前記保存手段の空き領域に登録し、前記自装置は、前記他装置から受信するローカル識別番号とローカル暗証番号とを前記保存手段の空き領域に登録することを特徴とする請求項１から３の何れか１項に記載の画像投影装置。
【請求項５】
前記保存手段にリモート識別番号が登録されているか否かを判断する手段を含み、前記リモート識別番号が登録されていないと判断すると、前記自装置又は前記他装置から受信するローカル識別番号を前記リモート識別番号として登録することを特徴とする請求項４に記載の画像投影装置。
【請求項６】
前記保存手段にリモート識別番号が登録されているか否かを判断する手段を含み、前記リモート識別番号が登録されていると判断すると、前記自装置又は前記他装置から受信するローカル識別番号を前記リモート識別番号として更新することを特徴とする請求項４に記載の画像投影装置。
【請求項７】
前記自装置又は他装置から受信したローカル識別番号が、前記保存手段に登録されているリモート識別番号と一致するか否かを判断する手段と、前記自装置又は他装置から受信したローカル暗証番号が、前記保存手段に登録されているリモート暗証番号と一致するか否かを判断する手段と、をさらに含むことを特徴とする請求項４に記載の画像投影装置。
【請求項８】
前記ローカル暗証番号は前記自装置又は前記他装置を一意に特定可能で装置外部から入力される番号であり、前記装置外部から入力される番号が、前記保存手段に登録されているローカル暗証番号と一致するか否かを判断する手段をさらに含むことを特徴とする請求項４に記載の画像投影装置。
【請求項９】
自装置を識別するためのローカル識別番号と、
自装置を認証するためのローカル暗証番号と、
他装置に接続されたとき前記他装置が前記自装置を識別するためのリモート識別番号と、
前記他装置に接続されたとき前記他装置が前記自装置を認証するためのリモート暗証番号と、を有する画像投影装置の制御方法であって、
前記自装置に続けて前記他装置が接続されると、前記他装置は、前記自装置から受信するローカル識別番号を前記リモート識別番号として登録する工程と、前記自装置から受信するローカル暗証番号を前記リモート暗証番号として登録する工程と、
前記他装置に続けて前記自装置が接続されると、前記自装置は、前記他装置から受信するローカル識別番号を前記リモート識別番号として登録する工程と、前記他装置から受信するローカル暗証番号を前記リモート暗証番号として登録する工程と、
を含むことを特徴とする制御方法。
【請求項１０】
自装置を識別するためのローカル識別番号と、
自装置を認証するためのローカル暗証番号と、
他装置に接続されたとき前記他装置が前記自装置を識別するためのリモート識別番号と、
前記他装置に接続されたとき前記他装置が前記自装置を認証するためのリモート暗証番号と、を有する画像投影装置のコンピュータに、
前記自装置に続けて前記他装置が接続されると、前記他装置は、前記自装置から受信するローカル識別番号を前記リモート識別番号として登録する処理と、前記自装置から受信するローカル暗証番号を前記リモート暗証番号として登録する処理と、
前記他装置に続けて前記自装置が接続されると、前記自装置は、前記他装置から受信するローカル識別番号を前記リモート識別番号として登録する処理と、前記他装置から受信するローカル暗証番号を前記リモート暗証番号として登録する処理と、
を実現させるためのプログラム。
【発明の詳細な説明】
【技術分野】
【０００１】
本発明は、画像投影装置、画像投影装置の制御方法、及びプログラムに関する。
【背景技術】
【０００２】
画像投影装置の一例であるプロジェクタの不正使用を防止する方法として、リモートコントローラ（以下、リモコンという。）から暗証番号を入力する方法が一般的に知られている。しかし、複数台のプロジェクタを同じ場所で使用するような設置環境においては、起動する度に全てのプロジェクタに対してリモコンから暗証番号を入力するのは非常に面倒である。そこで、複数のプロジェクタをカスケード（直列）接続し、先頭の１台目にのみに暗証番号を入力し認証することにより、カスケード接続された２台目以降のプロジェクタについても認証し、使用可能とする技術が既に知られている。
【０００３】
特許文献１には、複数のプロジェクタを同じ場所で使用するような設置環境において、起動する度に全てのプロジェクタに暗証番号を入力するのは非常に面倒であるという課題を解決するため、複数のプロジェクタをカスケード接続し、先頭の１台目にのみ暗証番号を入力し認証することにより、カスケード接続された２台目以降のプロジェクタについても認証し、使用可能とするプロジェクタの制御方法が開示されている。
【発明の概要】
【発明が解決しようとする課題】
【０００４】
しかしながら、複数のプロジェクタをカスケード接続し、先頭の１台目にのみ暗証番号を入力し認証することにより、カスケード接続された２台目以降のプロジェクタについても認証し、使用可能とする特許文献１に開示された従来の技術は、それぞれのプロジェクタに対し、先頭の１台目として動作するモードと、２台目以降として動作するモードとをそれぞれ設定する必要がある。
【０００５】
これを１台１台に対して設定するのは非常に面倒であるのに対し、複数のプロジェクタに対し一括して暗証番号の設定を行うための技術は何ら開示されていない。また、例えば、先頭の１台目として設定したプロジェクタを、他のカスケード接続された２台目以降のプロジェクタとして使用する技術も開示されておらず、様々なカスケード接続にフレキシブルに対応することができないという問題があった。
【０００６】
そこで、本発明は、上記従来技術の問題点に鑑みてなされたものであって、様々なカスケード接続に対してフレキシブルに対応することがすることが可能な画像投影装置を提供することを目的とする。
【課題を解決するための手段】
【０００７】
上記課題を解決するため、本発明における画像投影装置は、自装置を識別するためのローカル識別番号と、自装置を認証するためのローカル暗証番号と、他装置に接続されたとき前記他装置が前記自装置を識別するためのリモート識別番号と、前記他装置に接続されたとき前記他装置が前記自装置を認証するためのリモート暗証番号と、を有する画像投影装置であって、前記自装置に続けて前記他装置が接続されると、前記他装置は、前記自装置から受信するローカル識別番号を前記リモート識別番号として登録し、前記自装置から受信するローカル暗証番号を前記リモート暗証番号として登録し、前記他装置に続けて前記自装置が接続されると、前記自装置は、前記他装置から受信するローカル識別番号を前記リモート識別番号として登録し、前記他装置から受信するローカル暗証番号を前記リモート暗証番号として登録することを特徴とする。
【発明の効果】
【０００８】
本発明によれば、様々なカスケード接続に対してフレキシブルに対応することがすることが可能な画像投影装置を得ることができる。
【図面の簡単な説明】
【０００９】
【図１】本実施形態に係る画像投影装置の基本構成について説明する概略ブロック図である。
【図２】本実施形態に係る画像投影装置に設定されるＩＤと暗証番号について説明する図である。
【図３】本実施形態に係る画像投影装置において、カスケード接続されている先頭のプロジェクタＰＪ１、２台目以降のプロジェクタＰＪ２、ＰＪ３に一括して暗証番号を設定するフローについて説明する図である。
【図４】本実施形態に係る画像投影装置において、既にリモート用のＩＤ、暗証番号が設定されている２台目以降のプロジェクタＰＪ３に、他の先頭のプロジェクタＰＪ４からリモート用のＩＤ、暗証番号を設定するフローについて説明する図である。
【図５】本実施形態に係る画像投影装置において、カスケード接続されているプロジェクタと、図４においてローカル用のＩＤ、暗証番号が設定さている先頭のプロジェクタＰＪ４とに、一括してリモート用の暗証番号を設定するフローについて説明する図である。
【図６】本実施形態に係る画像投影装置において、図４において暗証番号が設定されているが未認証の先頭のプロジェクタＰＪ４と、２台目以降のプロジェクタＰＪ３とを一括して認証するフローについて説明する図である。
【図７】本実施形態に係る画像投影装置の先頭のプロジェクタＰＪ２０に暗証番号を設定するフローについて説明する図である。
【図８】本実施形態に係る画像投影装置の２台目以降のプロジェクタＰＪ２０に暗証番号を設定するフローについて、説明する図である。
【図９】本実施形態に係る画像投影装置において、ユーザの認証を促すダイアログについて説明する図である。
【図１０】本実施形態に係る画像投影装置において、先頭のプロジェクタＰＪ２０を認証するフローについて説明する図である。
【図１１】本実施形態に係る画像投影装置において、２台目以降のプロジェクタＰＪ２０を認証するフローについて説明する図である。
【発明を実施するための形態】
【００１０】
本発明は、複数のプロジェクタをカスケード接続し、先頭の１台目にのみ暗証番号を入力し認証することで、カスケード接続される２台目以降のプロジェクタについても認証して使用可能にするプロジェクタに関するものである。
【００１１】
すなわち、予めカスケード接続された状態で、先頭のプロジェクタに対して暗証番号を設定する。そうすると、先頭のプロジェクタはカスケード接続されている２台目以降のプロジェクタに対し、自身を識別するＩＤ（Identification）と設定された暗証番号とを送信する。そして、２台目以降のプロジェクタは、受信したＩＤと暗証番号とを、リモート用のＩＤと暗証番号として設定することが特徴になっている。
【００１２】
以下、本発明を実施するための形態について図面を参照して詳細に説明する。なお、各図中、同一又は相当する部分には同一の符号を付しており、その重複説明は適宜に簡略化乃至省略する。
【００１３】
まず、本実施形態に係る画像投影装置の基本構成について説明する。図１は、本実施形態に係る画像投影装置の基本構成について説明する概略ブロック図である。図１において、本実施形態に係る画像投影装置の一例であるプロジェクタ（以下、ＰＪともいう。）２０は、ＣＰＵ（Central Processing Unit）１０と、設定情報保存部１１と、通信部（親）１２と、通信部（子）１３とから構成される。また、ＰＪ２０は、操作パネル１４と、リモコン受信部１５と、ランプ制御部１６とから構成される。さらに、ＰＪ２０は、ランプ１７と、外部接続部１８と、画像データ投影部１９とから構成される。
【００１４】
ＣＰＵ１０は、プロジェクタ２０の全体を制御する。設定情報保存部１１は、プロジェクタ２０を識別するＩＤ、認証するための暗証番号を保存する。通信部（親）１２は、カスケード接続される他のプロジェクタと通信し、ＩＤ、暗証番号を送信する。例えば、ＵＡＲＴ（Universal Asynchronous Receiver Transmitter）等の通信ポートである。通信部（子）１３は、カスケード接続される他のプロジェクタと通信し、ＩＤ、暗証番号を受信する。例えば、ＵＡＲＴ等の通信ポートである。
【００１５】
操作パネル１４は、ユーザがプロジェクタ２０の操作を行うための操作パネルである。リモコン受信部１５は、ユーザによる図示しないリモコン操作を受信するリモコン受光部である。ランプ制御部１６は、全体を制御するＣＰＵ１０からの依頼により、ランプ１７のパワーの制御を行うものである。画像データ投影部１９は、外部接続部１８から受け取った画像データを投影するものである。
【００１６】
まず、本実施形態に係る画像投影装置に設定されるＩＤと暗証番号について説明する。図２は、本実施形態に係る画像投影装置に設定されるＩＤと暗証番号について説明する図である。
【００１７】
ＩＤ（１）“ＰＪ００２００１”は、自装置であるそれぞれのプロジェクタを識別できる一意に特定可能なローカル識別番号で、例えば製造番号等を利用すれば良い。暗証番号（２）“９８７６”は、ユーザが、操作パネル１４又はリモコンといった装置外部から、暗証番号を入力したときに認証するためのローカル暗証番号である。先頭ＩＤ（３）“ＰＪ００１００１”は、通信部（子）１３から他装置であるプロジェクタから暗証番号を受信したときに、識別のために使用するリモート用のＩＤであるリモート識別番号である。暗証番号（４）“９８７６”は、通信部（子）１３から他装置であるプロジェクタから暗証番号を受信したときに、認証のために使用するリモート用の暗証番号であるリモート暗証番号である。先頭ＩＤ（５）“ＰＪ００２００１”、暗証番号（６）“２４６８”も同様である。リモート識別番号及びリモート暗証番号は複数登録可能である。
【００１８】
次に、本実施形態に係る画像投影装置において、カスケード接続されている先頭のプロジェクタＰＪ１、２台目以降のプロジェクタＰＪ２、ＰＪ３に一括して暗証番号を設定するフローについて説明する。図３は、本実施形態に係る画像投影装置において、カスケード接続されている先頭のプロジェクタＰＪ１、２台目以降のプロジェクタＰＪ２、ＰＪ３に一括して暗証番号を設定するフローについて説明する図である。
【００１９】
図３に示すように、先頭プロジェクタＰＪ１と、２台目以降のプロジェクタＰＪ２、ＰＪ３とがカスケード接続されている。ＰＪ１の通信部（親）１２とＰＪ２の通信部（子）１３とが接続され、ＰＪ２の通信部（親）１２とＰＪ３の通信部（子）１３とが接続されている。ＰＪ１、ＰＪ２、ＰＪ３には、暗証番号は設定されておらず、何れのプロジェクタも使用可能な状態である。
【００２０】
まず、（１）ユーザが先頭のＰＪ１に暗証番号“９８７６”を設定する。そうすると、（２）ＰＪ１は、（１）で設定された暗証番号“９８７６”をローカル用の暗証番号に設定する。次に、（３）ＰＪ１は、自身のＩＤ“ＰＪ００１００１”と、（１）で設定されたローカル用の暗証番号“９８７６”とをＰＪ２に送信する。
【００２１】
（４）ＰＪ２は、受信したＩＤ“ＰＪ００１００１”とローカル用の暗証番号“９８７６”とを、リモート用のＩＤと暗証番号とに設定する。すなわち、設定情報保存部１１の空き領域であるリモート識別番号及びリモート認証番号の欄に登録する。ＰＪ２のローカル用の暗証番号が未設定の場合は、受信した暗証番号をローカル用の暗証番号にも設定する。（５）ＰＪ２は、受信したＩＤ“ＰＪ００１００１”と暗証番号“９８７６”とをＰＪ３に送信する。
【００２２】
（６）ＰＪ３は、受信したＩＤ“ＰＪ００１００１”と暗証番号“９８７６”とをリモート用のＩＤ、暗証番号に設定する。すなわち、設定情報保存部１１の空き領域であるリモート識別番号及びリモート認証番号の欄に登録する。このように、カスケード接続された先頭のプロジェクタＰＪ１にローカル用の暗証番号を設定するだけで、２台目以降のプロジェクタにも暗証番号を設定することが可能となる。
【００２３】
次に、本実施形態に係る画像投影装置において、既にリモート用のＩＤ、暗証番号が設定されている２台目以降のプロジェクタＰＪ３に、他の先頭のプロジェクタＰＪ４からリモート用のＩＤ、暗証番号を設定するフローについて説明する。図４は、本実施形態に係る画像投影装置において、既にリモート用のＩＤ、暗証番号が設定されている２台目以降のプロジェクタＰＪ３に、他の先頭のプロジェクタＰＪ４からリモート用のＩＤ、暗証番号を設定するフローについて説明する図である。
【００２４】
図４に示すように、２台のプロジェクタＰＪ４とＰＪ３とが接続されており、ＰＪ４の接続部（親）１２とＰＪ３の接続部（子）１３とが接続されている。ＰＪ４にはローカル用の暗証番号は設定されておらず、使用可能な状態である。ＰＪ３には暗証番号“９８７６”が設定されており、さらにＰＪ４以外の別のＰＪ２０のリモート用のＩＤ“ＰＪ００１００１”が設定されている。
【００２５】
図４において、まず、（１）ユーザがＰＪ３にローカル用の暗証番号“９８７６”を入力する。そうすると、（２）ＰＪ３が使用可能な状態になる。次に、（３）ユーザがＰＪ４に暗証番号“２４６８”を設定する。そうすると、（４）ＰＪ４は、（３）で設定された暗証番号“２４６８”をローカル用の暗証番号に設定する。そして、（５）ＰＪ４は、ローカル用のＩＤ“ＰＪ００２００１”と暗証番号“２４６８”とをＰＪ３に送信する。
【００２６】
（６）ＰＪ３は、受信したＩＤ“ＰＪ００２００１”と暗証番号“２４６８”とをリモート用のＩＤ、暗証番号に設定（追加）する。すなわち、設定情報保存部１１の空き領域であるリモート識別番号及びリモート認証番号の欄に登録する。このように、既にリモート用のＩＤ、暗証番号が設定されているプロジェクタＰＪ３に、他のプロジェクタＰＪ４のリモート用のＩＤ、暗証番号を設定することが可能となる。
【００２７】
次に、本実施形態に係る画像投影装置において、カスケード接続されているプロジェクタと、図４においてローカル用のＩＤ、暗証番号が設定さている先頭のプロジェクタＰＪ４とに、一括してリモート用の暗証番号を設定するフローについて説明する。図５は、本実施形態に係る画像投影装置において、カスケード接続されているプロジェクタと、図４においてローカル用のＩＤ、暗証番号が設定さている先頭のプロジェクタＰＪ４とに、一括してリモート用の暗証番号を設定するフローについて説明する図である。
【００２８】
図５に示すように、ＰＪ５、ＰＪ６、ＰＪ７、ＰＪ４がカスケード接続されている。ここで、ＰＪ４は、図４において先頭のプロジェクタとしてローカル用の暗証番号“２４６８”を設定したプロジェクタである。先頭のプロジェクタとしてローカル用の暗証番号“２４６８”を設定したプロジェクタＰＪ４に対しても、ＰＪ５、ＰＪ６、ＰＪ７を経由してリモート用のＩＤ“ＰＪ００３００１”、暗証番号“１３５７”を設定することが可能となる。
【００２９】
次に、本実施形態に係る画像投影装置において、図４において暗証番号が設定されているが未認証の先頭のプロジェクタＰＪ４と、２台目以降のプロジェクタＰＪ３とを一括して認証するフローについて説明する。図６は、本実施形態に係る画像投影装置において、図４において暗証番号が設定されているが未認証の先頭のプロジェクタＰＪ４と、２台目以降のプロジェクタＰＪ３とを一括して認証するフローについて説明する図である。
【００３０】
図６に示すように、ＰＪ４とＰＪ３とがカスケード接続されている。図４で説明したようにＰＪ４にはＩＤ“ＰＪ００２００１”が、ＰＪ３には、ＩＤ“ＰＪ００２００２”、“ＰＪ００１００１”暗証番号“９８７６”がそれぞれ設定されているが、ＰＪ４とＰＪ３とは認証前（未認証）の状態である。
【００３１】
まず、（１）ユーザがＰＪ４に暗証番号“２４６８”を入力する。そうすると、（２）ＰＪ４は、（１）で入力された暗証番号“２４６８”とローカル用の暗証番号“２４６８”とを比較し、一致している場合は使用可能な状態になる。そして、（３）ＰＪ４は、自身のＩＤ“ＰＪ００２００１”と、（１）で入力された暗証番号“２４６８”とをＰＪ３に送信する。
【００３２】
（４）ＰＪ３は、受信したＩＤ“ＰＪ００２００１”を、登録されている先頭ＩＤ“ＰＪ００１００１”から“ＰＪ００２００１”へと順に検索する。ＩＤ“ＰＪ００２００１”が登録されていることが分かるので、ＩＤ“ＰＪ００２００１”に対応する暗証番号“２４６８”と、受信した暗証番号“２４６８”とを比較する。両者が一致している場合は使用可能な状態になる。このように、カスケード接続され、暗証番号が入力された先頭のプロジェクタＰＪ４を認証するだけで、２台目以降の未認証のプロジェクタＰＪ３も認証することが可能となる。
【００３３】
次に、本実施形態に係る画像投影装置の先頭のプロジェクタＰＪ２０に暗証番号を設定するフローについて説明する。図７は、本実施形態に係る画像投影装置の先頭のプロジェクタＰＪ２０に暗証番号を設定するフローについて説明する図である。
【００３４】
まず、先頭のＰＪ２０にローカル用の暗証番号を設定する。具体的には、操作パネル１４（図１）、又は、図示しないリモコンから入力された暗証番号を、ローカル用の暗証番号として設定情報保存部１１に保存する。（ステップ（以下、Ｓという。）１０１）。
【００３５】
Ｓ１０２では、ＰＪ２０の通信部（親）１２に他のＰＪ２０が接続されているか否かを判断する。他のＰＪ２０が接続されている場合（Ｓ１０２：Ｙｅｓ）は、Ｓ１０３の処理へ進む。他のＰＪ２０が接続されていない場合（Ｓ１０２：Ｎｏ）は、処理を終了する。そして、通信部（親）１２から、接続されているＰＪ２０の通信部（子）１３へ向けて、ＩＤ、暗証番号を送信する（Ｓ１０３）。
【００３６】
次に、本実施形態に係る画像投影装置の２台目以降のプロジェクタＰＪ２０に暗証番号を設定するフローについて説明する。図８は、本実施形態に係る画像投影装置の２台目以降のプロジェクタＰＪ２０に暗証番号を設定するフローについて説明する図である。
【００３７】
まず、２台目以降のＰＪに暗証番号を設定する。具体的には、２台目以降のＰＪ２０の通信部（子）１３から、ＩＤ、暗証番号を受信する（Ｓ２０１）。そして、Ｓ２０２では、２台目以降のＰＪ２０の設定情報保存部１１に、ローカル用の暗証番号が設定されているか否かを判断する。ローカル用の暗証番号が未設定である場合（Ｓ２０２：Ｙｅｓ）は、Ｓ２０３の処理へ進み、未設定でない場合（Ｓ２０２：Ｎｏ）は、Ｓ２０４の処理へ進む。
【００３８】
Ｓ２０３では、通信部（子）１３から受信した暗証番号を、ローカル用の暗証番号として設定情報保存部１１に設定し、Ｓ２０５の処理へ進む。また、Ｓ２０４では、認証済であるか否かを判断する。認証済である場合（Ｓ２０４：Ｙｅｓ）は、Ｓ２０５の処理へ進む。認証済でない場合（Ｓ２０４：Ｎｏ）は、Ｓ２０６の処理へ進む。Ｓ２０６では、ユーザに認証を促すダイアログを、図９に示すように操作パネル１４に表示して終了する。図９は、本実施形態に係る画像投影装置において、ユーザの認証を促すダイアログについて説明する図である。具体的には、操作パネル１４に、“暗証番号を入力して認証してください。再度マスター機から、暗証番号設定を実行してください。”といったようなメッセージを表示する。
【００３９】
Ｓ２０５では、受信したＩＤが設定情報保存部１１に登録されているリモート用のＩＤであるか否かを判断する。受信したＩＤが登録されているリモート用のＩＤである場合（Ｓ２０５：Ｙｅｓ）は、Ｓ２０８の処理へ進む。受信したＩＤが登録されているリモート用のＩＤでない場合（Ｓ２０５：Ｎｏ）は、Ｓ２０７の処理へ進む。
【００４０】
Ｓ２０８では、設定情報保存部１１に登録されているリモート用の暗証番号を、受信したＩＤに対応する暗証番号に更新する。Ｓ２０７では、受信したＩＤ、暗証番号をリモート用のＩＤ、暗証番号として設定情報保存部１１に設定する。Ｓ２０９では、通信部（親）１２に他のＰＪ２０が接続されているか否かを判断する。他のＰＪ２０が接続されている場合（Ｓ２０９：Ｙｅｓ）は、Ｓ２１０の処理へ進み、通信部（親）１２からＩＤ、暗証番号を送信する。他のＰＪ２０が接続されていない場合（Ｓ２０９：Ｎｏ）は、処理を終了する。
【００４１】
次に、本実施形態に係る画像投影装置において、先頭のプロジェクタＰＪ２０を認証するフローについて説明する。図１０は、本実施形態に係る画像投影装置において、先頭のプロジェクタＰＪ２０を認証するフローについて説明する図である。
【００４２】
まず、先頭のＰＪ２０の認証を行う。具体的には、操作パネル１４、又は、図示しないリモコンから暗証番号が入力されたか否かを判断する（Ｓ３０１）。暗証番号が入力された場合（Ｓ３０１：Ｙｅｓ）は、Ｓ３０２の処理へ進む。暗証番号が入力されない場合（Ｓ３０１：Ｎｏ）は、入力されるまで待機する。
【００４３】
Ｓ３０２では、入力された暗証番号が、設定情報保存部１１に登録されているローカル用の暗証番号と一致するか否かを判断する。ローカル用の暗証番号と一致する場合（Ｓ３０２：Ｙｅｓ）は、Ｓ３０３の処理へ進む。ローカル用の暗証番号と一致しない場合（Ｓ３０２：Ｎｏ）は、Ｓ３０１の処理へ戻る。
【００４４】
Ｓ３０３では、通信部（親）１２に他のＰＪ２０が接続されているか否かを判断する。通信部（親）１２に他のＰＪ２０が接続されている場合（Ｓ３０３：Ｙｅｓ）は、Ｓ３０４の処理へ進む。通信部（親）１２に他のＰＪ２０が接続されていない場合（Ｓ３０３：Ｎｏ）は、先頭のＰＪ２０が使用可能な状態であるとして処理を終了する。Ｓ３０４では、通信部（親）１２から２台目以降のＰＪ２０に対してＩＤ、暗証番号を送信し、先頭のＰＪ２０が使用可能な状態であるとして処理を終了する。
【００４５】
次に、本実施形態に係る画像投影装置において、２台目以降のプロジェクタＰＪ２０を認証するフローについて説明する。図１１は、本実施形態に係る画像投影装置において、２台目以降のプロジェクタＰＪ２０を認証するフローについて説明する図である。
【００４６】
まず、２台目以降のＰＪ２０の暗証番号を認証する。具体的には、操作パネル１４、又は、図示しないリモコンから暗証番号が入力されたか否かを判断する（Ｓ４０１）。暗証番号が入力された場合（Ｓ４０１：Ｙｅｓ）は、Ｓ４０７の処理へ進む。暗証番号が入力されない場合（Ｓ４０１：Ｎｏ）は、Ｓ４０２の処理へ進む。
【００４７】
Ｓ４０２では、通信部（子）１３からＩＤ、暗証番号を受信したか否かを判断する。ＩＤ、受信番号を受信した場合（Ｓ４０２：Ｙｅｓ）は、Ｓ４０３の処理へ進む。ＩＤ、暗証番号を受信していない場合（Ｓ４０２：Ｎｏ）は、Ｓ４０１の処理へ戻る。
【００４８】
Ｓ４０３では、受信したＩＤが、リモート用のＩＤとして登録されているか否かを判断する。リモート用のＩＤとして登録されている場合（Ｓ４０３：Ｙｅｓ）は、Ｓ４０４の処理へ進む。リモート用のＩＤとして登録されていない場合（Ｓ４０３：Ｎｏ）は、Ｓ４０１の処理へ戻る。
【００４９】
Ｓ４０４では、受信した暗証番号が設定情報保存部１１に登録されているリモート用の暗証番号と一致するか否かを判断する。リモート用の暗証番号と一致する場合（Ｓ４０４：Ｙｅｓ）は、Ｓ４０５の処理へ進む。リモート用の暗証番号と一致しない場合（Ｓ４０４：Ｎｏ）は、Ｓ４０１の処理へ戻る。
【００５０】
Ｓ４０５では、通信部（親）１２に他のＰＪ２０が接続されているか否かを判断する。他のＰＪ２０が接続されている場合（Ｓ４０５：Ｙｅｓ）は、Ｓ４０６の処理へ進む。他のＰＪ２０が接続されていない場合（Ｓ４０５：Ｎｏ）は、２台目のＰＪ２０が使用可能な状態であるとして処理を終了する。
【００５１】
Ｓ４０６では、通信部（親）１２からＩＤ、暗証番号を送信し、２台目以降のＰＪが使用可能な状態であるとして処理を終了する。Ｓ４０７では、入力された暗証番号が、設定情報保存部１１に登録されているローカル用の暗証番号と一致するか否かを判断する。ローカル用の暗証番号と一致する場合（Ｓ４０７：Ｙｅｓ）は、２台目のＰＪ２０が使用可能な状態であるとして処理を終了する。ローカル用の暗証番号と一致しない場合（Ｓ４０７：Ｎｏ）は、Ｓ４０１の処理へ戻る。
【００５２】
このように、本実施形態によれば、カスケード接続された複数のプロジェクタに対して一括して暗証番号を設定することができる。また、カスケード接続された先頭のプロジェクタを、カスケード接続された２台目以降として使用することができる。さらに、カスケード接続されたプロジェクタの２台目以降を、先頭として使用することができる。
【００５３】
なお、図７、図８、図１０、図１１に示した本実施形態に係るプロジェクタを構成する各機能ブロックの各動作は、コンピュータ上のプログラムに実行させることもできる。すなわち、プロジェクタ２０内のＣＰＵ１０が、図示しないＲＯＭ等の記憶媒体に格納されたプログラムをロードする。そして、プログラムの各処理ステップが順次実行されることによって実現される。
【００５４】
以上説明してきたように、本発明によれば、様々なカスケード接続に対してフレキシブルに対応することがすることが可能な画像投影装置、画像投影装置の制御方法、及びプログラムが得られるのである。
【００５５】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００５６】
１０    ＣＰＵ
１１    設定情報保存部
１２    通信部（親）
１３    通信部（子）
１４    操作パネル
１５    リモコン受信部
１６    ランプ制御部
１７    ランプ
１８    外部接続部
１９    画像データ投影部
２０    プロジェクタ
【先行技術文献】
【特許文献】
【００５７】
【特許文献１】特開２０１３−０１６０５３号公報
【図１】
2016004254.tif 000003
【図２】
2016004254.tif 000004
【図３】
2016004254.tif 000005
【図４】
2016004254.tif 000006
【図５】
2016004254.tif 000007
【図６】
2016004254.tif 000008
【図７】
2016004254.tif 000009
【図８】
2016004254.tif 000010
【図９】
2016004254.tif 000011
【図１０】
2016004254.tif 000012
【図１１】
2016004254.tif 000013